(57)【要約】【課題】ＰＣの電源が切れている場合においても、管理者がＰＣの設置場所に行くことなく、ＰＣの最新の動的情報を管理する。【解決手段】本発明のコンピュータ管理システム１は、管理対象コンピュータ２、ＲＦＩＤリーダライタ３及び管理サーバ４を有し、管理対象コンピュータ２は、管理対象コンピュータ２に関する個別資産情報に変化がある都度、変化後の個別資産情報を、管理対象コンピュータ２に付されたＲＦＩＤタグ１７に記憶したうえで、管理サーバ４に送信する。その後、管理サーバ４は、管理対象コンピュータ２に関連付けて個別資産情報を記憶する。また、所定の時点において、ＲＦＩＤリーダライタ３は、ＲＦＩＤタグの個別資産情報を読み出し、管理サーバ４に送信する。その後、管理サーバ４は、管理対象コンピュータ２に関連付けて個別資産情報を記憶する。【選択図】図１
2011175317.tif 000002
【特許請求の範囲】
【請求項１】
ＲＦＩＤタグを付された管理対象コンピュータと、
所定の区画に配置され、前記ＲＦＩＤタグに記憶された前記管理対象コンピュータに関する情報である個別資産情報を読み書きするＲＦＩＤリーダライタと、
前記管理対象コンピュータ及び前記ＲＦＩＤリーダライタとネットワークによって接続され、前記個別資産情報を前記管理対象コンピュータに関連付けて記憶する管理サーバと、
を有するコンピュータ管理システムであって、
前記個別資産情報に変化がある都度、
前記管理対象コンピュータは、
前記変化後の個別資産情報を記憶した上で、前記変化後の個別資産情報を前記ネットワークを介して前記管理サーバに送信し、
前記管理サーバは、
前記管理対象コンピュータに関連付けて、前記個別資産情報を更新し、
所定の時点において、
前記ＲＦＩＤリーダライタは、
前記区画を識別する設置場所情報を前記管理対象コンピュータに付された前記ＲＦＩＤタグに送信し、
前記ＲＦＩＤタグは、
前記送信された設置場所情報をＲＦＩＤタグ内の前記個別資産情報に追加して記憶し、
前記設置場所情報が追加された個別資産情報を前記ＲＦＩＤリーダライタに送信し、
前記ＲＦＩＤリーダライタは、
前記送信された個別資産情報を、前記管理サーバに前記ネットワークを介して転送し、
前記管理サーバは、
前記管理対象コンピュータに関連付けて、前記個別資産情報を更新すること、
を特徴とするコンピュータ管理システム。
【請求項２】
前記管理対象コンピュータは、
前記管理対象コンピュータのオペレーションシステムが稼動していない間に、補助オペレーションシステムを、前記管理サーバから前記ネットワークを介して受け付け、
前記受け付けた補助オペレーションシステムの制御により、前記個別資産情報を、前記管理サーバに前記ネットワークを介して送信すること、
を特徴とする請求項１に記載のコンピュータ管理システム。
【請求項３】
前記個別資産情報は、
前記管理対象コンピュータを識別する資産名を含み、
前記管理サーバは、
前記個別資産情報に含まれる情報に基づいて前記資産名を生成すること、
を特徴とする請求項１に記載のコンピュータ管理システム。
【請求項４】
前記個別資産情報は、
前記管理対象コンピュータにおいて実行されるソフトウエアの権利関係に関するライセンス情報を含むこと、
を特徴とする請求項１に記載のコンピュータ管理システム。
【請求項５】
前記ライセンス情報は、
ライセンスの有効期限及び前記管理対象コンピュータの滅却日を含み、
前記管理サーバは、
前記ライセンス情報を、前記管理対象コンピュータから前記ネットワークを介して受信すると、
前記ライセンスの有効期限及び前記管理対象コンピュータの滅却日に基づいて、前記ライセンス情報に係る前記ソフトウエアが、前記管理対象コンピュータから移転してもよいか否かを判断すること、
を特徴とする請求項４に記載のコンピュータ管理システム。
【請求項６】
管理対象コンピュータに登録されているソフトウエア資産の管理を、前記管理対象コンピュータとの通信と、前記管理対象コンピュータに付されたＲＦＩＤタグの情報を読み取るＲＦＩＤタグリーダとの通信とにより行う管理サーバであって、
前記管理対象コンピュータに登録されているソフトウエア資産に関する個別資産情報が管理対象コンピュータと対応付けて記憶された資産情報データ記憶部と、
前記管理対象コンピュータがネットワークを介して送信する、当該管理対象コンピュータに登録されているソフトウエア資産に関する個別資産情報を受信する処理と、当該受信した個別資産情報を送信元の管理対象コンピュータと関連付けて前記資産情報データ記憶部に記憶、又は、前記資産情報データ記憶部を更新する処理とを行うコンピュータ対応処理部と、
前記ＲＦＩＤタグリーダがネットワークを介して送信する、前記管理対象コンピュータに付されたＲＦＩＤタグに記憶された当該管理対象コンピュータについての前記個別資産情報を受信する処理と、当該受信した個別資産情報を前記ＲＦＩＤタグに対応する管理対象コンピュータと関連付けて前記資産情報データ記憶部に記憶、又は、前記資産情報データ記憶部を更新する処理とを行うＲＦＩＤタグ対応処理部と、
を特徴とするコンピュータ管理サーバ。
【請求項７】
前記ＲＦＩＤタグ対応処理部は、更に、
前記ＲＦＩＤタグリーダと当該ＲＦＩＤタグリーダの設置場所との対応関係の情報に基づいて、前記個別資産情報を送信したＲＦＩＤタグリーダの設置場所を特定し、前記受信した個別資産情報とともに、前記特定した設置場所を前記管理対象コンピュータの設置場所として、前記資産情報データ記憶部に記憶、又は、前記資産管理情報データ記憶部を更新する処理を行うこと、
を特徴とする請求項６に記載のコンピュータ管理サーバ。
【発明の詳細な説明】
【技術分野】
【０００１】
本発明は、コンピュータ管理システム及びコンピュータ管理サーバに関する。
【背景技術】
【０００２】
現在企業等においては、パーソナルコンピュータ（ＰＣ：Personal computer）の普及が著しく、その台数も多い。そして、業務や組織の見直し、利用方法の高度化に伴い、ＰＣの設置場所は頻繁に変更され、ＰＣに事後的にアプリケーションソフトウエアが導入されることも多い。したがって、これらのＰＣやアプリケーションソフトウエアを資産として如何に効率的に管理していくかは、企業戦略上重要である。
従来から、ＰＣにバーコードを貼付し、携帯端末装置によってバーコードを読み取り、携帯端末装置上に、サーバが管理する当該ＰＣの管理情報を表示させる技術が知られている（例えば特許文献１）。
また、ＰＣにＲＦＩＤ（Radio Frequency IDentification）タグを埋め込み、ＲＦＩＤタグリーダがＲＦＩＤタグからＰＣの識別子を読み取り、ＰＣの識別子をＲＦＩＤタグリーダの場所情報に関連付ける技術が知られている（例えば特許文献２）。
さらに、オペレーティングシステムからは完全に独立したプラットフォームが、オペレーティングシステムの健康状態を管理する技術が知られている（例えば特許文献３）。
なお、ＲＦＩＤ技術に関する基本的な文献として、非特許文献１が存在する。
【先行技術文献】
【特許文献】
【０００３】
【特許文献１】特開平７−３１１８００号公報（要約、表１）
【特許文献２】特開２００５−２０２５０２号公報（段落００２７〜００３０、図１０、１１）
【特許文献３】特開２００８−１０２９０６号公報（請求項１）
【非特許文献】
【０００４】
【非特許文献１】大見孝吉監修、「よくわかるＲＦＩＤ−電子タグのすべて−」（ＩＳＢＮ：９７８−４−２７４−５０１８４−５）、社団法人日本自動認識システム協会編、株式会社オーム者発行、平成２０年８月、ｐ.２−８
【発明の概要】
【発明が解決しようとする課題】
【０００５】
しかしながら、特許文献１の発明は、管理者に対し、携帯端末装置を携帯してＰＣの設置場所に行かなければならないという負担を強いる。特許文献２の発明は、導入されたアプリケーションソフトウエアの移転情報等の動的情報が日常的にアップデートされないという問題を有する。特許文献３の発明は、ＰＣの電源が切れている場合は、リアルタイムの管理が行えないという問題を有する。
【０００６】
そこで、ＰＣの電源が切れている場合においても、管理者がＰＣの設置場所に行くことなく、ＰＣの最新の動的情報を管理することを目的とする。
【課題を解決するための手段】
【０００７】
本発明のコンピュータ管理システムは、管理対象コンピュータ、ＲＦＩＤリーダライタ及び管理サーバを有し、管理対象コンピュータは、管理対象コンピュータに関する個別資産情報に変化がある都度、変化後の個別資産情報を、管理対象コンピュータに付されたＲＦＩＤタグに記憶したうえで、管理サーバに送信する。その後、管理サーバは、管理対象コンピュータに関連付けて個別資産情報を記憶する。また、所定の時点において、ＲＦＩＤリーダライタは、ＲＦＩＤタグの個別資産情報を読み出し、管理サーバに送信する。その後、管理サーバは、管理対象コンピュータに関連付けて個別資産情報を記憶する。
【発明の効果】
【０００８】
本発明によれば、ＰＣの電源が切れている場合においても、管理者がＰＣの設置場所に行くことなく、ＰＣの最新の動的情報を管理することが可能になる。
【図面の簡単な説明】
【０００９】
【図１】本実施形態に係るコンピュータ管理システムの構成図である。
【図２】本実施形態に係る資産情報データベースの一例を示す図である。
【図３】本実施形態に係る個別資産情報の一例を示す図である。
【図４】本実施形態に係る個別資産情報蓄積処理手順のフローチャートである。
【図５】本実施形態に係る棚卸処理手順のフローチャートである。
【図６】本実施形態に係るライブマイグレーション処理手順のフローチャートである。
【図７】本実施形態に係るライブマイグレーション処理手順のステップＳ５０２の詳細フローチャートである。
【発明を実施するための形態】
【００１０】
以降、本発明を実施するための形態（「本実施形態」という）を、図等を参照しながら詳細に説明する。
【００１１】
（コンピュータ管理システム）
図１に沿って、コンピュータ管理システム１を説明する。
コンピュータ管理システム１は、管理対象ＰＣ２、管理サーバ４及びＲＦＩＤリーダライタ３を有する。これらは、ネットワーク５を介して相互に通信可能である。
ここでネットワーク５とは、イーサネット（登録商標）のようなＬＡＮ（Local Area Network）及びそれらがオープンなネットワークで相互に接続されたインターネットを意味する。
管理対象ＰＣ２とＲＦＩＤリーダライタ３との間では、ＲＦＩＤ技術を利用して情報の無線通信が可能である。本発明は、ＰＣ、ワークステーション等、管理対象の名称の如何に関わらず、あらゆるコンピュータ又はコンピュータを構成の一部として有する機器の管理を行うためのものである。以降では、単純化のために、ある企業内でＰＣの管理を行う例を説明する。
【００１２】
（管理対象ＰＣ）
管理対象ＰＣ２は、一般的なコンピュータであり、オフィスを中心に配置され、複数（多い場合は数千台）存在する。管理対象ＰＣ２は、主記憶装置１１、補助記憶装置１２、出力装置１３、入力装置１４、中央制御装置１５、通信インターフェース（ＮＩＣ：Network Interface Card）１６及びＲＦＩＤタグ１７を有する。ＲＦＩＤタグ１７は、管理対象ＰＣ２の表面に貼付されており例えばラベルのような形状をしている。主記憶装置１１、補助記憶装置１２、出力装置１３、入力装置１４、中央制御装置１５及び通信インターフェース１６は、バスを介して相互に接続されている。
出力装置１３は、ＲＦＩＤタグに対して、バス経由ではなく、無線技術によってデータを書き込む機能も併せ持つものとする。入力装置１４は、ＲＦＩＤタグから、バス経由ではなく、無線技術によってデータを読み出す機能も併せ持つものとする。
【００１３】
補助記憶装置１２には、アプリケーションソフトウエア４３及び個別資産情報４４が記憶されている。アプリケーションソフトウエア４３は、一般的な業務を行う上で必要なプログラムであり、表計算、文書作成、画像処理等多くの目的に応じたものがある。但し、ここでのアプリケーションソフトウエア４３は、著作権又は特許権に係るもの、即ちライセンス（実施許諾又は使用許諾）を管理するべきものである。個別資産情報４４については後記する。
【００１４】
補助ＯＳ（Operating System）５２、動的情報採取部４１及びクライアント側ライセンス管理部４２はプログラムである。以降の説明で「○○部は、」と主体を記した場合は、中央制御装置１５が、各プログラムを補助記憶装置１２から読み出し、又は管理サーバ４から受け取った上で、主記憶装置１１にロードし、後記する各プログラムの機能を実行することを意味するものとする（ＲＦＩＤリーダライタ３及び管理サーバ４についても同様）。主記憶装置１１内に補助ＯＳ５２が破線で示されているのは、管理対象ＰＣ２が、管理サーバ４から補助ＯＳ５２を受け取った上で補助ＯＳ５２を実行するからである（詳細後記）。
ＲＦＩＤタグ１７は、電池を内蔵しないパッシブタイプであり、アンテナ１８及び図示しないＩＣチップを有し、ＩＣチップには、ＲＦＩＤタグアクセス部４５及び個別資産情報４４が記憶されている。ＲＦＩＤタグアクセス部４５はプログラムである。個別資産情報４４（破線）は、補助記憶装置１２内の個別資産情報４４のコピーである。
【００１５】
（ＲＦＩＤリーダライタ）
ＲＦＩＤリーダライタ３もまた、一般的なコンピュータであり、中央制御装置２５、主記憶装置２１、補助記憶装置２２、アンテナ２８及び通信インターフェース（ＮＩＣ）２６を有している。これらはバスを介して相互に接続されている。
ＲＦＩＤリーダライタ３は、管理対象ＰＣ２が配置される場所に配置される。典型的にはオフィス内を複数の区画に区切り、区画ごとに１又は複数のＲＦＩＤリーダライタ３が天井や柱に固定される。管理対象ＰＣ２の密度がより高い環境では、マシンラック等に固定されてもよい。
補助記憶装置２２は、設置場所情報４７を記憶している。設置場所情報４７は区画を一意に特定する識別子である。ある区画に複数のＲＦＩＤリーダライタ３がある場合には、それらのＲＦＩＤリーダライタ３は同じ設置場所情報４７を有している。ＲＦＩＤ通信部４６は、プログラムである（詳細後記）。
管理対象ＰＣ２の電源が切られている状態であっても、ＲＦＩＤリーダライタ３は、管理対象ＰＣ２のＲＦＩＤタグ１７に記憶されている個別資産情報４４に対して読み書きが可能である。
【００１６】
（管理サーバ）
管理サーバ４もまた、一般的なコンピュータである。管理サーバ４は、主記憶装置３１、補助記憶装置３２、出力装置３３、入力装置３４、中央制御装置３５及び通信インターフェース（ＮＩＣ）３６を有する。これらは、バスを介して相互に接続されている。
補助記憶装置３２には、補助ОＳ５２及び資産情報データベース５３が記憶されている。補助ОＳ５２は、管理対象ＰＣ２の電源が入れられた後、管理対象ＰＣ２のОＳ（Operating System）が起動するまでの間に、管理対象ＰＣ２を制御するОＳである（詳細後記）。
構成情報管理部４８、動的情報管理部４９、サーバ側ライセンス管理部５０及びＲＦＩＤ管理部５１はプログラムである（詳細後記）。
【００１７】
（資産情報データベース）
図２に沿って、資産情報データベース５３を説明する。
資産情報データベース５３においては、基準日欄２００に記憶された基準日に関連付けて、管理情報欄２１０には管理情報が、構成情報欄２２０には構成情報が、動的情報欄２３０には動的情報が記憶されている。
【００１８】
基準日欄２００に記憶された基準日は、資産情報データベース５３のレコード（行）が生成された日（西暦年の下２桁及び月日）、又はそのレコードが更新された日である。
基準日は、管理対象ＰＣ２が電源を投入され使用された直近の日、又は、管理サーバ４が棚卸を行った日のいずれかである。棚卸とは、管理サーバ４が管理対象ＰＣ２の設置場所等を確認し資産情報データベース５３を更新することである。
【００１９】
管理情報欄２１０は、さらに下位の納入日欄２１１、滅却日欄２１２、資産名欄２１３及び設置場所欄２１４を有する。
納入日２１１欄に記憶された納入日は、管理対象ＰＣ２が使用者に納入された年月日（西暦年の下２桁及び月日）である。納入日は、管理者が管理サーバ４の入力装置３４から資産情報データベース５３に対して直接入力してもよいし、管理対象ＰＣ２の使用者が、管理対象ＰＣ２の入力装置１４から個別資産情報４４（詳細後記）に対して入力してもよい。
滅却日欄２１２に記憶された滅却日は、管理対象ＰＣ２を破棄する予定の年月日（西暦年の下２桁及び月日）である。滅却日は、破棄する予定の年月日が決まった時点で、管理者が管理サーバ４の入力装置３４から資産情報データベース５３に対して直接入力してもよいし、管理対象ＰＣ２の使用者が、管理対象ＰＣ２の入力装置１４から個別資産情報４４に対して入力してもよい。破棄する予定がない場合、滅却日欄２１２は空欄である。
【００２０】
資産名欄２１３に記憶された資産名は、管理対象ＰＣ２を一意に特定する識別子である。ここでは、１５桁の文字又は数字の列であり、各桁の文字又は数字は以下の意味を有している。
左から数えて最初の２桁は、製造者名（詳細後記）を示す文字である。
次の４桁は、型名（詳細後記）の上４桁の文字又は数字である。
次の４桁は、製造番号（詳細後記）の下４桁の数字である。
次の２桁は、納入日の西暦年の下２桁である。
次の１桁は、納入日の月である（１〜９月をそれぞれ１〜９の数字で表し、１０〜１２月をそれぞれＡ〜Ｃの文字で表す）。
次の１桁は、納入日の日である（１〜９日をそれぞれ１〜９の数字で表し、１０〜３１日をそれぞれＡ〜Ｖの文字であらわす）。
最後の１桁は、重複防止の文字である。全く同じ１〜１４桁を有する管理対象ＰＣが複数ある場合は、最後の１桁の文字で区別する。
資産名欄２１３は、管理対象ＰＣ２が納入された時点では空白であるが、その後、管理サーバ４が製造者名等に基づいて生成した資産名が当該欄に記憶される（詳細後記）。
本来、製造者名、型名及び製造番号の組合せによれば管理対象ＰＣ２を一意に特定することは可能である。本実施形態においては、それらの情報に納品日に関する情報及び重複防止の文字を加え、管理者にとって管理がより容易になるようにカスタマイズしている。
【００２１】
設置場所欄２１４に記憶された設置場所情報は、前記したように、管理対象ＰＣ２が設置された区画を一意に特定する識別子である。ここでは、フロアを示す数字及び文字と、方位を示す文字との組合せである。設置場所欄２１４は、管理対象ＰＣ２が納入された時点では空白であるが、その後、ＲＦＩＤリーダライタ３から送信された設置場所情報が当該欄に記憶される（詳細後記）。
【００２２】
構成情報欄２２０は、さらに下位の製造者名欄２２１、型名欄２２２、製造番号欄２２３、ＢＩＯＳ名欄２１４、ＣＰＵ数欄２２５、メモリ容量欄２２６及びＭＡＣアドレス欄２２７を有する。
製造者名欄２２１に記憶された製造者名は、管理対象ＰＣ２の製造者の名称である。
型名欄２２２に記憶された型名は、管理対象ＰＣ２の型式を示す文字又は数字の列である。
ＢＩＯＳ名欄２２４に記憶されたＢＩＯＳ名は、管理対象ＰＣ２のＢＩＯＳ（Basic Input Output System）の名称である。
ＣＰＵ数欄２２５に記憶されたＣＰＵ数は、管理対象ＰＣ２の中央制御装置１５の個数である。
メモリ容量欄２２６に記憶されたメモリ容量は、管理対象ＰＣ２の主記憶装置１１の容量である。
ＭＡＣアドレス欄２２７に記憶されたＭＡＣ(Media Access Control)アドレスは、管理対象ＰＣ２の通信インターフェース１６のネットワーク(イーサネット等のＬＡＮ)内での位置を一意に特定する識別子である。
【００２３】
すべての構成情報は、管理対象ＰＣ２が製造者から出荷された時点で、通常は、管理対象ＰＣ２のＢＩＯＳ又はマザーボード上に記憶されている。そして本実施形態においては、すべての構成情報が、さらに個別資産情報４４（詳細後記）にも記憶されているものとする。
そして、管理対象ＰＣ２のＯＳが起動していなくとも、管理対象ＰＣ２のＢＩＯＳが起動していれば、管理対象ＰＣ２は、管理サーバ４から（ネットワーク５経由で）補助ＯＳ５２を受け取り、補助ＯＳ５２の制御のもとで管理サーバ４へ（ネットワーク５経由で）管理情報及び構成情報を送信できるものとする。
なお、構成情報として挙げた前記の情報はあくまでも一例であり、管理対象ＰＣ２のハードウエアに関する情報であって、日常の使用において変化しない情報であれば構成情報となり得る。さらに、事後的に付加されたハードウエアに関する情報（例えば、増設メモリの容量など）も構成情報となり得る。
【００２４】
動的情報欄２３０は、さらに下位のＯＳ名欄２３１、ＩＰアドレス欄２３２、ライセンス情報欄２３３及び仮想マシン情報欄２３４を有する。
ＯＳ名欄２３１に記憶されたＯＳ名は、管理対象ＰＣ２において使用されているＯＳの名称である。なお、「Windows」は登録商標である。
ＩＰアドレス欄２３２に記憶されたＩＰ（Internet Protocol）アドレスは、管理対象ＰＣ２のインターネット内での位置を一意に特定する識別子である。
【００２５】
ライセンス情報欄２３３は、さらに下位のライセンス名欄２３３ａ、ライセンスキー欄２３３ｂ及び有効期限欄２３３ｃを有する。
ライセンス名欄２３３ａに記憶されたライセンス名は、管理すべきライセンスに係るアプリケーションソフトウエア４３の名称である。
ライセンスキー欄２３３ｂに記憶されたライセンスキーは、ライセンスに係るアプリケーションソフトウエア４３を正規に購入した者だけが知るパスワードである。
有効期限欄２３３ｃに記憶された有効期限は、ライセンスが失効する年月日（西暦年の下２桁及び月日）である。
管理対象ＰＣ２においてライセンスに係るアプリケーションソフトウエア４３が使用されていない場合は、これらの欄２３３ａ〜２３３ｃは空欄である。
【００２６】
１台の管理対象ＰＣ２が、ライセンスに係るアプリケーションソフトウエア４３を複数同時に使用する場合もある。この場合、動的情報欄２３０には、ライセンス情報欄２３３（ライセンス名欄２３３ａ、ライセンスキー欄２３３ｂ及び有効期限欄２３３ｃの組合せ）が複数記憶される。以下の説明では、代表して、記憶されているライセンス情報欄２３３が１つである場合を説明する。
【００２７】
仮想マシン情報欄２３４は、さらに下位のОＳ名欄２３４ａ、ＣＰＵ数欄２３４ｂ、メモリ容量欄２３４ｃ、ＩＰアドレス欄２３４ｄ、ライセンス情報欄２３４ｅを有する。
周知のように、コスト削減、既存ОＳの維持等を目的として、管理対象ＰＣ２内に１又は複数の仮想マシンを設置することがある。
ОＳ名欄２３４ａに記憶されたОＳ名は、管理対象ＰＣ２内に設置された仮想マシンにおいて使用されているＯＳの名称である。
ＣＰＵ数欄２３４ｂに記憶されたＣＰＵ数は、管理対象ＰＣ２内に設置された仮想マシンの中央制御装置の個数である。
メモリ容量欄２３４ｃに記憶されたメモリ容量は、管理対象ＰＣ２内に設置された仮想マシンの主記憶装置の容量である。
【００２８】
ＩＰアドレス欄２３４ｄに記憶されたＩＰアドレスは、管理対象ＰＣ２内に設置された仮想マシンのインターネット内での位置を一意に特定する識別子である。つまり、仮想マシンにもＩＰアドレスが割り当てられている。
ライセンス情報欄２３４ｅに記憶されたライセンス情報は、管理対象ＰＣ２内に設置された仮想マシンのライセンス情報である。ライセンス情報については前記した通りである（図２には表示していないが、欄２３４ｅには、ライセンス名、ライセンスキー、有効期限が記憶されている）。
管理対象ＰＣ２内に仮想マシンが設置されていない場合は、これらの欄２３４ａ〜２３４ｅは空欄である。
【００２９】
ある仮想マシンについて、ライセンスに係るアプリケーションソフトウエア４３を複数使用している場合もある。この場合は、仮想マシン情報欄２３４に複数のライセンス情報欄２３４ｅが記憶される。
１つの管理対象ＰＣ２内に複数の仮想マシンが設置される場合もある。この場合、動的情報欄２３０には、仮想マシン情報欄２３４（ＯＳ名欄２３４ａ、ＣＰＵ数欄２３４ｂ、メモリ容量欄２３４ｃ、ＩＰアドレス欄２３４ｄ及びライセンス情報欄２３４ｅの組合せ）が複数記憶される。以下の説明では、記憶されている仮想マシン情報欄２３４は１つである場合を代表して説明する。
【００３０】
一般に、ある管理対象ＰＣ２の操作中に、他の管理対象ＰＣ２に対して、操作中の管理対象ＰＣ２のアプリケーションソフトウエア４３（又はアプリケーションソフトウエア４３を含む仮想マシン）を移設することが可能である（ライブマイグレーション）。そして、ある管理対象ＰＣ２の滅却時に、その管理対象ＰＣ２に同時に滅却すべきアプリケーションソフトウエア４３が記憶されているか否かを確認することが必要になる。資産情報データベース５３に最新の動的情報（特にライセンス情報）が記憶されるようにすることで、当該確認をはじめとする管理対象ＰＣ２の管理が容易になる。
【００３１】
資産情報データベース５３のレコードは、基準日（欄２００参照）と資産名（欄２１３参照）の組合せの数だけ存在する。
【００３２】
（最新の動的情報の維持）
動的情報は、管理対象ＰＣ２を使用している間に変化する可能性がある情報である。本実施形態においては、動的情報は、ＯＳ名、ＩＰアドレス、ライセンス情報及び仮想マシン情報を含むものとしたが、これらはあくまでも一例である。例えば、管理対象ＰＣ２の使用者名、管理対象ＰＣ２の補助記憶装置１２に記憶されているファイル名、そのファイルの更新日時等も動的情報となり得る。
管理対象ＰＣ２の動的情報採取部４１は、常に最新の動的情報を反映した個別資産情報４４を補助記憶装置１２に維持し、かつ、ＲＦＩＤタグ１７に維持する。
【００３３】
例えば、動的情報採取部４１は、管理者又は管理対象ＰＣ２の使用者がＯＳを導入した場合、そのＯＳを管理対象ＰＣ２が読み込む際に、読み込むデータの中からＯＳ名を読み出し、個別資産情報のＯＳ名欄２３１に記憶する。
【００３４】
管理対象ＰＣ２が始めてインターネットに接続された際、動的情報採取部４１は、ＤＨＣＰ（Dynamic Host Configuration Protocol）サーバ等から通知されるＩＰアドレスを、個別資産情報４４のＩＰアドレス欄２３２に記憶する。
使用者が、ライセンスに係るアプリケーションソフトウエア４３をインターネットからダウンロードして導入した場合、動的情報採取部４１は、ライセンサ（アプリケーションソフトウエア４３の提供者）から当該アプリケーションソフトウエア４３そのものに付属して送信されてくる、ライセンス名、ライセンスキー及び有効期限を、個別資産情報４４のライセンス名欄２３３ａ、ライセンスキー欄２３３ｂ及び有効期限欄２３３ｃに、それぞれ記憶する。使用者がアプリケーションソフトウエア４３をパッケージソフトとして導入した場合等は、ライセンス名、ライセンスキー及び有効期限は使用者が入力してもよい。
【００３５】
仮想マシンを設置する場合は、使用者が、個別資産情報の欄２３４ａ〜２３４ｅに入力する。
【００３６】
管理対象ＰＣ２のＯＳが起動する都度、管理対象ＰＣ２は、（ネットワーク５経由で）管理サーバ４にその時点における管理情報、構成情報及び動的情報を送信する。加えて、動的情報の一部に変化がある都度、管理対象ＰＣ２は、（ネットワーク５経由で）管理サーバ４にその変化後の動的情報等を送信する（詳細後記）。
【００３７】
（個別資産情報）
図３に沿って、個別資産情報４４を説明する。
管理対象ＰＣ２は、個別資産情報４４を記憶している。個別資産情報４４の構成は、資産情報データベース５３のうち当該管理対象ＰＣ２に関するレコードの構成と同様である。但し、資産情報データベース５３が有する基準日欄２００は有さない。図３の個別資産情報４４は、図２の資産情報データベース５３のレコード３０１に対応する管理対象ＰＣ２の個別資産情報４４である。
【００３８】
（処理手順）
本実施形態の処理手順には、（１）個別資産情報蓄積処理手順、（２）棚卸処理手順、及び（３）ライブマイグレーション処理手順の３つがある。
（１）及び（３）は、管理対象ＰＣ２の使用者が日常的に管理対象ＰＣ２を使用している間に、特に使用者に意識されることなく実行される。（２）は、管理者が必要と判断した所定の時点において実行される。
各処理手順の詳細を説明する前に、処理手順の概要と意義を記述する。
【００３９】
（１）個別資産情報蓄積処理手順では、管理対象ＰＣ２の使用者が管理対象ＰＣ２の電源を投入する都度、管理対象ＰＣ２は、個別資産情報４４をＲＦＩＤタグ１７に記憶する一方で、個別資産情報４４をネットワーク５経由で管理サーバ４に対して送信する。その結果、管理サーバ４では、各管理対象ＰＣ２から受信した個別資産情報４４が、資産情報データベース５３のレコードとして蓄積されていく。管理対象ＰＣ２のＯＳに障害がある場合、又はＯＳが実装されていない場合であっても、補助ＯＳの制御のもとで、個別資産情報４４の一部（管理情報及び構成情報）は管理サーバ４に蓄積される。
【００４０】
しかしながら、それだけでは、使用頻度の少ない（電源が切られたままの）管理対象ＰＣ２の個別資産情報４４は、長い期間更新されないことになる。かつ、管理サーバ４に蓄積される資産情報データベース５３のレコードの基準日が管理対象ＰＣ２毎にまちまちとなり、管理に支障を来す。そこで、例えば、毎日所定の時刻、大規模レイアウト変更や引越しの前後、資産管理の基準となる期末日などに、すべての管理対象ＰＣ２に対して一斉にかつ能動的に個別資産情報４４を取りに行く（棚卸）ことが必要になる。
【００４１】
（２）棚卸処理手順では、このような棚卸を行い、すべての管理対象ＰＣ２についての同一時点での個別資産情報４４（資産情報データベース５３のレコード）を入手する。この際、管理対象ＰＣの使用者に使用されていない（電源が切れている）管理対象ＰＣ２は、ネットワーク５経由で管理サーバ４と通信することができないとう制約が生じる。そこで、ＲＦＩＤリーダライタ３が、ネットワーク５経由ではなくＲＦＩＤの無線技術を使用して、管理対象ＰＣ２のＲＦＩＤタグ１７に記憶されている個別資産情報４４を読みに行く。
以上のような手順を踏めば、棚卸を行った日を基準日とする、すべての管理対象ＰＣ２の管理情報、構成情報及び動的情報を資産管理情報データベース５３として取得できる。そして、後記するように、取得した管理情報に含まれる設置場所情報は、棚卸時点での場所に更新されたものであり、取得した動的情報は、管理対象ＰＣ２に最後に電源が入っていた時点のものである。
【００４２】
前記したライセンスに係るアプリケーションソフトウエア４３をライブマイグレーションしてよいか否かの判断が必要になる。
（３）ライブマイグレーション処理手順では、アプリケーションソフトウエア４３を流出しようとする管理対象ＰＣ２からの問合せを受け、当該判断を行う。
【００４３】
（個別資産情報蓄積処理手順）
図４に沿って、個別資産情報蓄積処理手順を説明する。
ステップＳ４０１において、管理対象ＰＣ２は、使用者から電源ОＮの操作を受け付ける。
【００４４】
ステップＳ４０２において、管理対象ＰＳ２のＢＩＯＳは、管理サーバ４との接続が確立されているか否かを判断する。
具体的には、管理対象ＰＣ２のＢＩＯＳは、管理対象ＰＣ２と管理サーバ４との間にネットワーク５経由の接続が確立されている場合（ステップＳ４０２“ＹＥＳ”）は、ステップＳ４０３に進み、それ以外の場合（ステップＳ４０２“ＮＯ”）はステップＳ４１２に進む。
【００４５】
ステップＳ４０３において、管理対象ＰＳ２のＢＩＯＳは、管理サーバ２に、補助ＯＳ５２の送信要求を送信する。
【００４６】
ステップＳ４０４において、管理サーバ４の構成情報管理部４８は、管理対象ＰＣ２に、補助ＯＳ５２を送信する。管理対象ＰＣ２は、送信された補助ＯＳ５２を受信する。
【００４７】
ステップＳ４０５において、管理対象ＰＣ２の補助ＯＳ５２は、管理情報及び構成情報をＲＦＩＤタグ１７にコピーする。
具体的には、補助ＯＳ５２は、補助記憶装置１２に記憶されている個別資産情報４４のうち管理情報及び構成情報を読み出して、出力装置１３を介してＲＦＩＤタグ１７にコピーする。
この時点で、管理情報のなかに資産名及び／又は設置場所情報が存在する場合は、その資産名及び／または設置場所情報もＲＦＩＤタグ１７にコピーされる。
【００４８】
ステップＳ４０６において、補助ＯＳ５２は、管理サーバ４に、管理情報及び構成情報を送信する。
具体的には、補助ＯＳ５２は、個別資産情報４４から、管理情報及び構成情報を読み出して、読み出した管理情報及び構成情報を管理サーバ４に送信する。
【００４９】
ステップＳ４０７において、管理サーバ４の構成情報管理部４８は、資産情報データベース５３に該当のレコードが存在するか否かを判断する。
具体的には、構成情報管理部４８は、ステップＳ４０６において送信された構成情報に含まれる製造者名、型名及び製造番号を検索キーとして、資産管理データベース５３（図２）を検索し、該当するレコードがない場合（Ｓ４０７“ＮＯ”）はステップＳ４０８に進み、該当するレコードがある場合（Ｓ４０７“ＹＥＳ”）は、ステップＳ４０９に進む。
【００５０】
ステップＳ４０８において、構成情報管理部４８は、資産名を生成し、資産管理データベース５３を更新する。
具体的には、構成情報管理部４８は、第１に、ステップＳ４０６において送信された構成情報に含まれる製造者名、型名及び製造番号と、現在の日である納入日に基づいて、資産名を生成する。資産名の具体的な生成方法は前記した通りである。
第２に、資産情報データベース５３のレコードを新たに作成し、新たに作成したレコードの管理情報欄２１０及び構成情報欄２２０に、ステップＳ４０６において送信された管理情報及び構成情報を記憶する。
第３に、新たに作成したレコードの基準日欄２００に現在の日を記憶し、ステップＳ４１０に進む。
【００５１】
ステップＳ４０９において、構成情報管理部４８は、資産名を必要に応じ生成し、資産管理データベース５３を更新する。
具体的には、構成情報管理部４８は、第１に、ステップＳ４０７において該当した資産情報データベース５３のレコードの管理情報欄２１０及び構成情報欄２２０に、ステップＳ４０６において送信された管理情報及び構成情報を記憶する。このとき、管理情報に含まれる滅却日及び／又は設置場所情報が更新される場合がある。
第２に、ステップＳ４０７において該当した資産情報データベース５３のレコードの資産名欄２１３が空欄である場合は、当該レコードの構成情報に含まれる製造者名、型名及び製造番号と、現在の日である納入日に基づいて、資産名を生成し、生成した資産名を資産名欄２１３に記憶する。資産名の具体的な生成方法は前記した通りである。
第３に、更新したレコードの基準日欄２００に現在の日を記憶し、ステップＳ４１０に進む。
【００５２】
ステップＳ４１０において、構成情報管理部４８は、管理対象ＰＣ２に資産名を送信する。
具体的には、構成情報管理部４８は、ステップＳ４０８又はステップＳ４０９において生成された資産名を管理対象ＰＣに送信する。
【００５３】
ステップＳ４１１において、補助ＯＳ５２は、資産名をＲＦＩＤタグ１７にコピーする（個別資産情報４４の資産名欄２１３にコピーする）。
【００５４】
ステップＳ４１２において、管理対象ＰＣ２のＯＳが起動する。
なお、ＯＳに障害があり起動できない場合、又は、管理対象ＰＣ２にＯＳが実装されていない場合は、個別資産情報蓄積処理手順を終了する（フローチャートとして図示せず）。
【００５５】
ステップＳ４１３において、管理対象ＰＣ２の動的情報採取部４１は、構成情報及び動的情報をＲＦＩＤタグ１７にコピーする。
具体的には、動的情報採取部４１は、補助記憶装置１２に記憶されている個別資産情報４４のうち、構成情報及び動的情報を読み出して、ＲＦＩＤタグ１７にコピーする。
【００５６】
ステップＳ４１４において、動的情報採取部４１は、動的情報の変更を反映する。
具体的には、動的情報の変更がある都度、個別資産情報４４の動的情報欄２３０に変更後の動的情報を上書きしたうえで、上書き後の個別資産情報４４をＲＦＩＤタグ１７にコピーする。
【００５７】
ステップＳ４１５において、動的情報採取部４１は、管理サーバ４に、構成情報及び動的情報を送信する。
具体的には、第１に、動的情報採取部４１は、所定の時間が経過する都度、管理対象ＰＣ２と管理サーバ４との接続を確立する。
第２に、補助記憶装置１２に記憶されている個別資産情報４４のうち、構成情報及び動的情報を読み出して、管理サーバ４に送信する。
【００５８】
なお、ステップＳ４１５は所定の時間間隔で繰り返し実行されるが、初回以降次回までに、個別資産情報４４に変化がない場合は実行されないものとしてもよい。
【００５９】
ステップＳ４１６において、管理サーバ４の動的情報管理部４９は、資産情報データベース５３のレコードを更新する。
具体的には、動的情報管理部４９は、ステップＳ４１５における送信が発生する都度、第１に、ステップＳ４１５において送信された構成情報のうち、製造者名、型名及び製造番号を検索キーとして、資産情報データベース５３を検索し、該当したレコードの動的情報欄２３０に、ステップＳ４１５において送信された動的情報を記憶し、構成情報欄２２０に、ステップＳ４１５において送信された構成情報を記憶する。このとき、該当するレコードがない場合は、資産情報データベース５３の新たなレコードを作成し、作成したレコードの動的情報欄２３０に、ステップＳ４１５において送信された動的情報を記憶し、構成情報欄２２０に、ステップＳ４１５において送信された構成情報を記憶する。
前記したように、製造者名、型名及び製造番号の組合せによれば管理対象ＰＣ２を一意に特定することは可能であるので、動的情報及び構成情報が管理対象ＰＣ２に関連付けて記憶されることになる。
第２に、基準日欄２００に現在の日を記憶する。
【００６０】
ステップＳ４１７において、管理対象ＰＣ２は、使用者から電源ОＦＦの操作を受け付ける。
その後、個別資産情報蓄積処理手順を終了する。
【００６１】
（棚卸処理手順）
図５に沿って、棚卸処理手順を説明する。
【００６２】
ステップＳ４５１において、ＲＦＩＤリーダライタ３のＲＦＩＤ通信部４６は、管理対象ＰＣ２に、設置場所情報４７を送信する。
具体的には、ＲＦＩＤ通信部４６は、第１に、補助記憶装置２２から設置場所情報４７を取得する。
第２に、取得した設置場所情報４７を、ＲＦＩＤリーダライタ３の設置されている区画に存在するすべての管理対象ＰＣ２に送信する。当該送信は、無線通信によって行われる（以降、ＲＦＩＤリーダライタ３と管理対象ＰＣ２との間の通信について同様）。
ステップＳ４５１の処理については、所定の時刻が到来したこと、所定の時間が経過したこと等を契機にして、すべてのＲＦＩＤリーダライタ３のＲＦＩＤ通信部４６が起動するものとする。しかしながら、起動するＲＦＩＤリーダライタ３を所定の区域に配置されたものに制限することも可能である。さらに、ＲＦＩＤリーダライタ３が、管理サーバ４から起動指示を受信することを契機として起動することとしてもよい。
【００６３】
ステップＳ４５２において、管理対象ＰＣ２のＲＦＩＤタグアクセス部４５は、設置場所情報４７を保存する。
具体的には、ＲＦＩＤタグアクセス部４５は、ステップＳ４５１において送信された設置場所情報４７を、ＲＦＩＤタグ１７に記憶されている個別資産情報４４の設置場所欄２１４（図３参照）に記憶する。
【００６４】
ステップＳ４５３において、ＲＦＩＤリーダライタ３のＲＦＩＤ通信部４６は、管理サーバ４との接続が確立されているか否かを判断する。
具体的には、ＲＦＩＤ通信部４６は、ＲＦＩＤリーダライタ３と管理サーバ４とがネットワーク５経由で接続されている場合（Ｓ４５３“ＹＥＳ”）は、ステップＳ４５４に進み、それ以外の場合（Ｓ４５３“ＮＯ”）は、棚卸処理手順を終了する。
【００６５】
ステップＳ４５４において、ＲＦＩＤ通信部４６は、管理対象ＰＣ２に、個別資産情報４４の送信要求を送信する。
【００６６】
ステップＳ４５５において、管理対象ＰＣ２のＲＦＩＤタグアクセス部４５は、ＲＦＩＤリーダライタ３に、個別資産情報４４を送信する。
具体的には、ＲＦＩＤタグアクセス部４５は、第１に、ＲＦＩＤタグ１７に記憶されている個別資産情報４４のすべての部分（設置場所情報が追加又は更新されている）を取得する。
第２に、取得した個別資産情報４４を、ＲＦＩＤリーダライタ３に送信する。
【００６７】
ステップＳ４５６において、ＲＦＩＤリーダライタ３のＲＦＩＤ通信部４６は、個別資産情報４４を受信したか否かを判断する。
具体的には、ＲＦＩＤ通信部４６は、ステップＳ４５４において送信要求を送信してから所定の時間内に管理対象ＰＣ２から個別資産情報４４を受信した場合（ステップＳ４５６“ＹＥＳ”）は、ステップＳ４５７に進み、それ以外の場合（ステップＳ４５６“ＮＯ”）は、棚卸処理手順を終了する。
【００６８】
ステップＳ４５７において、ＲＦＩＤ通信部４６は、管理サーバ４に、個別資産情報４４を送信する。
具体的には、ＲＦＩＤ通信部４６は、ステップＳ４５６において受信した個別資産情報４４を、管理サーバ４に送信する。この送信は、ネットワーク５経由で行われる（以降、ＲＦＩＤリーダライタ３と管理サーバ４との間の通信について同様）。
【００６９】
ステップＳ４５８において、管理サーバ４のＲＦＩＤ管理部５１は、資産情報データベース５３に該当のレコードが存在するか否かを判断する。
具体的には、ＲＦＩＤ管理部５１は、ステップＳ４５６において受信した個別資産情報４４の構成情報に含まれる製造者名、型名及び製造番号を検索キーとして、資産管理データベース５３（図２）を検索し、該当するレコードがない場合（Ｓ４５８“ＮＯ”）はステップＳ４５９に進み、該当するレコードがある場合（Ｓ４５８“ＹＥＳ”）は、ステップＳ４６０に進む。
【００７０】
ステップＳ４５９において、ＲＦＩＤ管理部５１は、資産名を生成し、資産管理データベース５３を更新する。
具体的には、ＲＦＩＤ管理部５１は、第１に、ステップＳ４５６において受信した個別資産情報４４の構成情報に含まれる製造者名、型名及び製造番号と、現在の日である納入日に基づいて、資産名を生成する。資産名の具体的な生成方法は前記した通りである。
第２に、資産情報データベース５３のレコードを新たに作成し、新たに作成したレコードの各欄２１０、２２０、２３０に、ステップＳ４５６において受信した個別資産情報４４を記憶する。
第３に、新たに作成したレコードの基準日欄２００に現在の日を記憶し、ステップＳ４６１に進む。
なお、前記したように、製造者名、型名及び製造番号の組合せによれば管理対象ＰＣ２を一意に特定することは可能であるので、管理対象ＰＣ２に関連付けて、個別資産情報４４が記憶されることになる（ステップＳ４６０においても同様）。
【００７１】
ステップＳ４６０において、ＲＦＩＤ管理部５１は、資産名を必要に応じ生成し、資産管理データベース５３を更新する。
具体的には、ＲＦＩＤ管理部５１は、第１に、ステップＳ４５８において該当した資産情報データベース５３のレコードの各欄２１０、２２０、２３０に、ステップＳ４５６において受信した個別資産情報４４を記憶する。このとき、管理情報に含まれる滅却日及び／又は設置場所情報が更新される場合がある。
第２に、ステップＳ４５６において該当した資産情報データベース５３のレコードの資産名欄２１３が空欄である場合は、当該レコードの構成情報に含まれる製造者名、型名及び製造番号と、現在の日である納入日に基づいて、資産名を生成し、生成した資産名を資産名欄２１３に記憶する。資産名の具体的な生成方法は前記した通りである。
第３に、更新したレコードの基準日欄２００に現在の日を記憶し、ステップＳ４６１に進む。
【００７２】
ステップＳ４６１において、ＲＦＩＤ管理部５１は、ＲＦＩＤリーダライタ３に資産名を送信する。
具体的には、ＲＦＩＤ管理部５１は、ステップＳ４５９又はステップＳ４６０において生成された資産名をＲＦＩＤリーダライタ３に送信する。
【００７３】
ステップＳ４６２において、ＲＦＩＤリーダライタ３のＲＦＩＤ通信部４６は、管理対象ＰＣ２に資産名を送信する。
具体的には、ＲＦＩＤ通信部４６は、ステップＳ４６１において送信された資産名を管理対象ＰＣ２に送信する。
【００７４】
ステップＳ４６３において、管理対象ＰＣ２のＲＦＩＤタグアクセス部４５は、資産名を保存する。
具体的には、ＲＦＩＤタグアクセス部４５は、ステップＳ４６２において送信された資産名を、ＲＦＩＤタグ１７に記憶されている個別資産情報４４の資産名欄２１３に記憶する。
その後、棚卸処理手順を終了する。
【００７５】
（棚卸処理手順の変形例）
前記の実施形態では、管理対象ＰＣ２から個別資産情報４４のすべての部分がＲＦＩＤリーダライタ３に送信され、管理サーバ４に転送される例を説明した。このようにすれば、すべての管理対象ＰＣ２につき、動的情報（ライセンス情報、仮想マシン情報、その他、文書ファイルの名前等を含む、ＲＦＩＤタグ１７に記憶可能な一切の情報）を、基準日を揃えた上で管理可能である。しかしながら、個別資産情報４４の一部のみを管理対象ＰＣ２から取得することも可能である。例えば、管理情報及び構成情報のみを取得し、ＲＦＩＤリーダライタ３経由で管理サーバ４に送信することとすれば、処理速度は向上する。
【００７６】
（ライブマイグレーション処理手順）
図６に沿って、ライブマイグレーション処理手順を説明する。
ステップＳ５０１において、ライブマイグレーション元の管理対象ＰＣ２ａのクライアント側ライセンス管理部４２は、管理サーバ４に、資産名及びライセンス情報を送信する。
具体的には、クライアント側ライセンス管理部４２は、第１に、補助記憶装置１２に記憶されている個別資産情報４４のライセンス情報のうち、ライブマイグレーションの対象としたい（他の管理対象ＰＣ２に移転したい）アプリケーションソフトウエア４３に係るライセンス情報の指定を受け付ける。例えば、個別資産情報４４（図３）を管理対象ＰＣ２ａの出力装置１３に表示し、ライセンス情報欄２３３（複数存在する場合もある）及びライセンス情報欄２３４ｅ（複数存在する場合もある）の内から、対象のライセンス情報の欄をマウス等の入力装置１４によって使用者に指定させてもよい。
第２に、ライブマイグレーション元の管理対象ＰＣ２ａと管理サーバ４との間の接続（ネットワーク５経由）を確立したうえで、補助記憶装置１２に記憶されている個別資産情報４４の資産名、及び、指定されたライセンス情報を、管理サーバ４に送信する。
【００７７】
ステップＳ５０２において、管理サーバ４のサーバ側ライセンス管理部５０は、ライブマイグレーションの可否を判断する。
ステップＳ５０２の詳細は後記するが、サーバ側ライセンス管理部５０は、ライブマイグレーションが可能であることを示す「ＯＫ」及びライブマイグレーションが不可能であることを示す「ＮＧ」のうちのいずれかを、結果としてライブマイグレーション元の管理対象ＰＣ２ａに送信するものとする。
【００７８】
ステップＳ５０３において、ライブマイグレーション元の管理対象ＰＣ２ａのクライアント側ライセンス管理部４２は、結果が「ＯＫ」であるか否かを判断する。
具体的には、ステップＳ５０２において送信された結果が「ＯＫ」である場合（ステップＳ５０３“ＹＥＳ”）は、ステップＳ５０４に進み、送信された結果が「ＮＧ」である場合（ステップＳ５０３“ＮＯ”）は、ライブマイグレーション処理手順を終了する。
【００７９】
ステップＳ５０４において、ライブマイグレーション元の管理対象ＰＣ２ａのクライアント側ライセンス管理部４２は、ライブマイグレーションを実行する。
具体的には、クライアント側ライセンス管理部４２は、第１に、入力装置１４を介して使用者からライブマイグレーション先の管理対象ＰＣ２ｂのＩＰアドレスを受け付ける。
第２に、ライセンス情報に係るアプリケーションソフトウエア４３そのもの及びライセンス情報を、受け付けたＩＰアドレス宛てに（ネットワーク５経由で）送信する。
【００８０】
ステップＳ５０５において、ライブマイグレーション元の管理対象ＰＣ２ａのクライアント側ライセンス管理部４２は、管理サーバ４に、ライブマイグレーションの終了報告を送信する。
具体的には、クライアント側ライセンス管理部４２は、ライブマイグレーション先の管理対象ＰＣ２ｂのＩＰアドレス及びステップＳ５０１において指定されたライセンス情報を管理サーバ４に送信する。
【００８１】
ステップＳ５０６において、ライブマイグレーション先の管理対象ＰＣ２ｂのクライアント側ライセンス管理部４２は、アプリケーションソフトウエア４３等を受信する。
具体的には、クライアント側ライセンス管理部４２は、ステップＳ５０４において送信されたアプリケーションソフトウエア４３そのもの及びライセンス情報を受信する。
【００８２】
ステップＳ５０７において、ライブマイグレーション先の管理対象ＰＣ２ｂのクライアント側ライセンス管理部４２は、管理サーバ４に、ライブマイグレーションの終了報告を送信する。
具体的には、クライアント側ライセンス管理部４２は、ライブマイグレーション先の管理対象ＰＣ２ｂのＩＰアドレス及びステップＳ５０４において送信されたライセンス情報を管理サーバに送信する。
【００８３】
ステップＳ５０８において、管理サーバ４のサーバ側ライセンス管理部５０は、ライブマイグレーションが成功したか否かを判断する。
具体的には、サーバ側ライセンス管理部５０は、ステップＳ５０５において送信されたＩＰアドレスとライセンス情報の組合せが、ステップＳ５０７において送信されたＩＰアドレスとライセンス情報の組合せと一致した場合（ステップＳ５０８“ＹＥＳ”）は、ステップＳ５０９に進み、それ以外の場合（ステップＳ５０８“ＮＯ”）は、ライブマイグレーション処理手順を終了する。
【００８４】
ステップＳ５０９において、サーバ側ライセンス管理部５０は、資産情報データベース５３を更新する。
具体的には、サーバ側ライセンス管理部５０は、第１に、ライブマイグレーション元の管理対象ＰＣ２ａのＩＰアドレスを検索キーとして資産情報データベース５３を検索し、該当したレコードからステップＳ５０５において送信されたライセンス情報を削除した上で、基準日欄２００に現在の日を記憶する。
第２に、ステップＳ５０７において送信されたＩＰアドレスを検索キーとして資産情報データベース５３を検索し、該当したレコードにステップＳ５０５において送信されたライセンス情報を加えたうえで、基準日欄２００に現在の日を記憶する。
第３に、「第１」において更新されたレコードを、ライブマイグレーション元の管理対象ＰＣ２ａに送信する。
第４に、「第２」において更新されたレコードを、ライブマイグレーション先の管理対象ＰＣ２ｂに送信する。
【００８５】
ステップＳ５１０において、ライブマイグレーション先の管理対象ＰＣ２ｂのクライアント側ライセンス管理部４２は、ライセンス情報を追加する。
具体的には、クライアント側ライセンス管理部４２は、補助記憶装置１２に記憶されている個別資産情報４４及びＲＦＩＤタグ１７に記憶されている個別資産情報４４に対して、ステップＳ５０９の「第４」において送信されたレコードの情報を上書きする。
【００８６】
ステップＳ５１１において、ライブマイグレーション元の管理対象ＰＣ２ａのクライアント側ライセンス管理部４２は、ライセンス情報を削除する。
具体的には、クライアント側ライセンス管理部４２は、補助記憶装置１２に記憶されている個別資産情報４４及びＲＦＩＤタグ１７に記憶されている個別資産情報４４に対して、ステップＳ５０９の「第３」において送信されたレコードの情報を上書きする。
ステップＳ５０９、Ｓ５１０及びＳ５１１が終了した後、ライブマイグレーション処理手順は終了する。
【００８７】
（ライブマイグレーション処理手順の変形例）
前記の実施形態では、アプリケーションソフトウエア４３がライブマイグレーションの対象である例について説明した。
しかしながら、仮想マシン全体がライブマイグレーションの対象である結果、当該仮想マシンに含まれるアプリケーションソフトウエア４３もまたライブマイグレーションの対象となる場合もある。この場合におけるステップＳ５０１、ステップＳ５０４〜Ｓ５１１の処理を以下に説明する。（当該変形例のフローチャートは、概ね図６の「ライセンス情報」を「仮想マシン情報」に置き換えたものであるので、記載を省略する。）
【００８８】
ステップＳ５０１において、ライブマイグレーション元の管理対象ＰＣ２ａのクライアント側ライセンス管理部４２は、第１に、補助記憶装置１２に記憶されている個別資産情報４４の仮想マシン情報のうち、ライブマイグレーションの対象としたい（他の管理対象ＰＣ２に移転したい）仮想マシンに係る仮想マシン情報の指定を受け付ける。例えば、個別資産情報（図３）を管理対象ＰＣ２の出力装置１３に表示し、仮想マシン情報欄２３４（複数存在する場合もある）の内から、対象の仮想マシン情報の欄をマウス等の入力装置１４によって使用者に指定させてもよい。
第２に、ライブマイグレーション元の管理対象ＰＣ２ａと管理サーバ４との間の接続（ネットワーク５経由）を確立したうえで、補助記憶装置１２に記憶されている個別資産情報４４の資産名、及び、指定された仮想マシン情報を、管理サーバ４に送信する。
【００８９】
ステップＳ５０４において、ライブマイグレーション元の管理対象ＰＣ２ａのクライアント側ライセンス管理部４２は、ライブマイグレーションを実行する。
具体的には、クライアント側ライセンス管理部４２は、第１に、入力装置１４を介して使用者からライブマイグレーション先の管理対象ＰＣ２ｂのＩＰアドレスを受け付ける。
第２に、ライブマイグレーションの対象となる仮想マシンの設定に必要な一切の情報及び仮想マシン情報を、受け付けたＩＰアドレス宛てに（ネットワーク５経由で）送信する。
【００９０】
ステップＳ５０５において、ライブマイグレーション元の管理対象ＰＣ２ａのクライアント側ライセンス管理部４２は、管理サーバ４に、ライブマイグレーションの終了報告を送信する。
具体的には、クライアント側ライセンス管理部４２は、ライブマイグレーション先の管理対象ＰＣ２ｂのＩＰアドレス及びステップＳ５０１において指定された仮想マシン情報を管理サーバ４に送信する。
【００９１】
ステップＳ５０６において、ライブマイグレーション先の管理対象ＰＣ２ｂのクライアント側ライセンス管理部４２は、ステップＳ５０４において送信された設定に必要な一切の情報及び仮想マシン情報を受信する。
ステップＳ５０７において、ライブマイグレーション先の管理対象ＰＣ２ｂのクライアント側ライセンス管理部４２は、管理サーバ４に、ライブマイグレーションの終了報告を送信する。
具体的には、クライアント側ライセンス管理部４２は、ライブマイグレーション先の管理対象ＰＣ２ｂのＩＰアドレス及びステップＳ５０４において送信された仮想マシン情報を管理サーバ４に送信する。
【００９２】
ステップＳ５０８において、管理サーバ４のサーバ側ライセンス管理部５０は、ライブマイグレーションが成功したか否かを判断する。
具体的には、サーバ側ライセンス管理部５０は、ステップＳ５０５において送信されたＩＰアドレスと仮想マシン情報の組合せが、ステップＳ５０７において送信されたＩＰアドレスと仮想マシン情報の組合せと一致した場合（ステップＳ５０８“ＹＥＳ”）は、ステップＳ５０９に進み、それ以外の場合（ステップＳ５０８“ＮＯ”）は、ライブマイグレーション処理手順を終了する。
【００９３】
ステップＳ５０９において、サーバ側ライセンス管理部５０は、資産情報データベース５３を更新する。
具体的には、サーバ側ライセンス管理部５０は、第１に、ライブマイグレーション元の管理対象ＰＣ２ａのＩＰアドレスを検索キーとして資産情報データベース５３を検索し、該当したレコードからステップＳ５０５において送信された仮想マシン情報を削除した上で、基準日欄２００に現在の日を記憶する。
第２に、ステップＳ５０７において送信されたＩＰアドレスを検索キーとして資産情報データベース５３を検索し、該当したレコードにステップＳ５０５において送信された仮想マシン情報を加えたうえで、基準日欄２００に現在の日を記憶する。
第３に、「第１」において更新されたレコードを、ライブマイグレーション元の管理対象ＰＣ２ａに送信する。
第４に、「第２」において更新されたレコードを、ライブマイグレーション先の管理対象ＰＣ２ｂに送信する。
【００９４】
ステップＳ５１０において、ライブマイグレーション先の管理対象ＰＣ２ｂのクライアント側ライセンス管理部４２は、仮想マシン情報を追加する。
具体的には、クライアント側ライセンス管理部４２は、補助記憶装置１２に記憶されている個別資産情報４４及びＲＦＩＤタグ１７に記憶されている個別資産情報４４に対して、ステップＳ５０９の「第４」において送信されたレコードの情報を上書きする。
【００９５】
ステップＳ５１１において、ライブマイグレーション元の管理対象ＰＣ２ａのクライアント側ライセンス管理部４２は、仮想マシン情報を削除する。
具体的には、クライアント側ライセンス管理部４２は、補助記憶装置１２に記憶されている個別資産情報４４及びＲＦＩＤタグ１７に記憶されている個別資産情報４４に対して、ステップＳ５０９の「第３」において送信されたレコードの情報を上書きする。
ステップＳ５０９、Ｓ５１０及びＳ５１１が終了した後、ライブマイグレーション処理手順は終了する。
【００９６】
（ライブマイグレーション処理手順のステップＳ５０２の詳細）
図７に沿って、ライブマイグレーション処理手順のステップＳ５０２の詳細を説明する。
ステップＳ５５１において、管理サーバ４のサーバ側ライセンス管理部５０は、ライブマイグレーション元の管理対象ＰＣ２ａから、資産名及びライセンス情報を受信する。
【００９７】
ステップＳ５５２において、サーバ側ライセンス管理部５０は、滅却予定があるか否かを判断する。
具体的には、サーバ側ライセンス管理部５０は、ステップＳ５５１において受信した資産名を検索キーとして、資産情報データベース５３を検索し、該当したレコードの滅却日欄２１２に滅却日が記憶されていない場合（ステップＳ５５２“ＮＯ”）は、ステップＳ５５３に進み、滅却日が記憶されている場合（ステップＳ５５２“ＹＥＳ”）は、Ｓ５５５に進む。
【００９８】
ステップＳ５５３において、サーバ側ライセンス管理部５０は、ライセンスの有効期限が経過しているか否かを判断する。
具体的には、第１に、サーバ側ライセンス管理部５０は、ステップＳ５５１において受信したライセンス情報に対応する有効期限を、ステップＳ５５２において該当したレコードから取得する。
第２に、取得した有効期限が現在の日以降である場合（ステップＳ５５３“ＮＯ”）は、ステップＳ５５４に進み、取得した有効期限が現在の日より前である場合（ステップＳ５５３“ＹＥＳ”）は、ステップＳ５５５に進む。
【００９９】
ステップＳ５５４において、サーバ側ライセンス管理部５０は、結果「ＯＫ」を生成する。
【０１００】
ステップＳ５５５において、サーバ側ライセンス管理部５０は、結果「ＮＧ」を生成する。
【０１０１】
ステップＳ５５６において、サーバ側ライセンス管理部５０は、ライブマイグレーション元の管理対象ＰＣ２ａに、結果を送信する。
具体的には、サーバ側ライセンス管理部５０は、ステップＳ５５４又はＳ５５５において生成された結果「ＯＫ」又は結果「ＮＧ」をライブマイグレーション元の管理対象ＰＣ２ａに送信する。
その後、ライブマイグレーション処理手順のステップＳ５０３に戻る。
【０１０２】
なお、例えばステップＳ５５３の直後に、サーバ側ライセンス管理部５０は、ライブマイグレーション元の管理対象ＰＣ２ａの出力装置１３に対して、「ライブマイグレーションを実行してよいですか」のようなメッセージを表示し、当該管理対象ＰＣ２ａの入力装置１４を介して、「はい」又は「いいえ」の返答を受け付けてもよい。そして、当該返答が「はい」である場合は、ステップＳ５５４に進み、「いいえ」である場合は、ステップＳ５５５に進むこととしてもよい（フローチャートとして図示せず）。
【０１０３】
（ライブマイグレーション処理手順のステップＳ５０２の変形例）
前記の実施形態では、アプリケーションソフトウエア４３がライブマイグレーションの対象である例について説明した。
しかしながら、仮想マシン全体がライブマイグレーションの対象である結果、当該仮想マシンに含まれるアプリケーションソフトウエア４３もまたライブマイグレーションの対象となる場合もある。この場合におけるステップＳ５５１、Ｓ５５３の処理を以下に説明する。（ステップＳ５５２、Ｓ５５４〜Ｓ５５６は前記と同様である。）
【０１０４】
ステップＳ５５１において、管理サーバ４のサーバ側ライセンス管理部５０は、ライブマイグレーション元の管理対象ＰＣ２ａから、資産名及び仮想マシン情報を受信する。
【０１０５】
ステップＳ５５３において、サーバ側ライセンス管理部５０は、ライセンスの有効期限が経過しているか否かを判断する。
具体的には、第１に、サーバ側ライセンス管理部５０は、ステップＳ５５１において受信した仮想マシン情報に含まれるライセンス情報に対応するすべての有効期限を、ステップＳ５５２において該当したレコードから取得する。
第２に、取得したすべての有効期限が現在の日以降である場合（ステップＳ５５３“ＮＯ”）は、ステップＳ５５４に進み、それ以外の場合（ステップＳ５５３“ＹＥＳ”）は、ステップＳ５５５に進む。
【０１０６】
（ＵＳＢメモリ等を使用した変形例）
前記したＲＦＩＤタグ１７の替わりに、ＩＣチップ及びアンテナを格納したＵＳＢメモリやＩＣカードを使用してもかまわない。ＵＳＢメモリを使用する場合は、管理対象ＰＣ２はＵＳＢメモリとの通信をバス経由で行える。ＩＣカードを使用する場合は、管理対象ＰＣ２はＩＣカードとの通信をカードリーダライタ経由で行える。
ＵＳＢメモリやＩＣカードを使用する場合、ＵＳＢメモリやＩＣカードを管理対象ＰＣ２から取り外してしまうと、棚卸の際、管理対象ＰＣ２の設置場所を正確に管理することはやや困難になる。しかしながら、例えば、ソフトウエア開発会社が、外部から派遣を受けた多くの人員を使用し、各人に対して人事情報が記憶されたＵＳＢメモリやＩＣカードを配布するような場合、ソフトウエア開発会社は、人事管理と資産管理を同時に効率的に行える等のメリットがある。
【０１０７】
本発明は、前記した実施形態に限定されることなく、本発明の主旨を逸脱しない範囲で、変更実施が可能である。
【符号の説明】
【０１０８】
１      コンピュータ管理システム
２      管理対象ＰＣ（管理対象コンピュータ）
３      ＲＦＩＤリーダライタ
４      管理サーバ
５      ネットワーク
１１、２１、３１  主記憶装置
１２、２２、３２  補助記憶装置
１３、３３    出力装置
１４、３４    入力装置
１５、２５、３５  中央制御装置
１６、２６、３６  通信インターフェース
１７    ＲＦＩＤタグ
１８、２８  アンテナ
４１    動的情報採取部
４２    クライアント側ライセンス管理部
４３    アプリケーションソフトウエア
４４    個別資産情報
４５    ＲＦＩＤタグアクセス部
４６    ＲＦＩＤ通信部
４７    設置場所情報
４８    構成情報管理部
４９    動的情報管理部
５０    サーバ側ライセンス管理部
５１    ＲＦＩＤ管理部
５２    補助ＯＳ
５３    資産情報データベース
【図１】
2011175317.tif 000003
【図２】
2011175317.tif 000004
【図３】
2011175317.tif 000005
【図４】
2011175317.tif 000006
【図５】
2011175317.tif 000007
【図６】
2011175317.tif 000008
【図７】
2011175317.tif 000009